(57)【特許請求の範囲】
【請求項１】
ディスク型記録媒体に記録された映像と字幕の再生を行うとともに、前記字幕の再生が可能なｎ倍速の再生速度で前記映像と前記字幕の再生を行う高速再生動作と、前記高速再生動作を行わずに再生位置を移動させる移動動作とを交互に繰り返すディスク再生装置において、
前記高速再生動作とともに通常速度で前記映像と前記字幕を再生する通常再生動作を行う再生手段と、
前記移動動作を行う移動手段と、
再生速度を指定して再生動作の指示を行う操作手段と、
前記操作手段を用いてｎ倍速よりも速い再生速度での再生動作が指示されたときに、前記再生手段によるｎ倍速の高速再生動作と前記移動手段による移動動作を交互に繰り返す制御を行う制御手段と、
を備えることを特徴とするディスク再生装置。
【請求項２】
請求項１において、
前記字幕の再生に必要な字幕情報は、前記映像の再生に必要な映像情報の一部に分散して対応しており、
前記移動手段は、前記字幕とこれに対応する前記映像の再生が行われた後に、次に前記字幕の再生が可能な位置まで再生位置を移動させることを特徴とするディスク再生装置。
【請求項３】
請求項１において、
前記移動手段による移動動作の移動量を可変に設定する移動量可変手段をさらに備えることを特徴とするディスク再生装置。
【請求項４】
請求項１または３において、
前記字幕の再生に必要な字幕情報は、再生可能位置が決められており、
前記移動手段は、移動させた再生位置が前記再生可能位置からずれているときに、前後の所定範囲に含まれる前記再生可能位置を検出して再生位置の調整を行うことを特徴とするディスク再生装置。
【請求項５】
請求項４において、
前記再生手段は、前記移動手段によって前記所定範囲内での前記再生可能位置の検出が行えなかったときに、字幕の再生を伴わない前記高速再生動作を一時的に行うことを特徴とするディスク再生装置。
【請求項６】
請求項１〜５のいずれかにおいて、
前記ディスク型記録媒体に記録された一連の再生情報には、通常速度以外の再生速度での再生動作が制限される制限領域が含まれており、
前記再生手段は、前記移動手段によって移動された再生位置が前記制限領域に含まれている場合に、この制限領域から外れるまで通常再生動作を行うことを特徴とするディスク再生装置。
【請求項７】
請求項１〜６のいずれかにおいて、
前記移動手段による移動動作は、再生位置を早送りする方向で行われることを特徴とするディスク再生装置。
【請求項８】
請求項１〜６のいずれかにおいて、
前記移動手段による移動動作は、再生位置を早戻しする方向で行われることを特徴とするディスク再生装置。
【請求項９】
請求項１〜８のいずれかにおいて、
前記字幕の再生が可能なｎ倍速の再生速度は、２倍速の再生速度であることを特徴とするディスク再生装置。
【請求項１０】
請求項１〜９のいずれかにおいて、
前記ディスク型記録媒体は、デジタルバーサタイルディスクであり、
前記移動手段は、ビデオ・オブジェクト・ユニットを単位として再生位置の移動動作を行うことを特徴とするディスク再生装置。
【請求項１１】
請求項４または５において、
前記ディスク型記録媒体は、デジタルバーサタイルディスクであり、
前記再生可能位置は、サブピクチャ・ユニットの先頭位置であり、
前記移動手段は、ビデオ・オブジェクト・ユニットを単位として再生位置の移動動作を行う際に、移動後のビデオ・オブジェクト・ユニットにサブピクチャ・ユニットの先頭位置が含まれない場合に、前記先頭位置が含まれるビデオ・オブジェクト・ユニットを移動先近傍で検索することを特徴とするディスク再生装置。
【請求項１２】
請求項１１において、
前記移動手段によるサブピクチャ・ユニットの先頭位置の検索は、この検索動作に先立って取得するナビゲーション・パックの情報に基づいて行われることを特徴とするディスク再生装置。
【請求項１３】
請求項６において、
前記ディスク型記録媒体は、デジタルバーサタイルディスクであり、
前記制限領域は、セルを単位として設定されており、
前記再生手段は、前記制限領域が設定されたセルに再生位置が移動したときに通常再生動作を行うことを特徴とするディスク再生装置。
【発明の詳細な説明】
【０００１】
【発明の属する技術分野】
本発明は、デジタルバーサタイルディスク（ＤＶＤ）等の再生動作を行うディスク再生装置に関する。
【０００２】
【従来の技術】
近年、ディスク型記録媒体としてＤＶＤが注目されている。このＤＶＤは、直径が１２ｃｍで厚さが１．２ｍｍであり、ＣＤ（コンパクトディスク）と同じ形状ながら、記録密度を上げることにより単層で４．７ＧＢ、２層で８．５ＧＢなどの記憶容量を実現している。
【０００３】
また、ＭＰＥＧ２による画像データ圧縮技術やオーディオデータ圧縮技術の採用により、ＤＶＤには様々な種類のデータが混在して格納されるとともに、各種機能を実現するための制御データが格納されている。ＤＶＤに映画を記録する場合を考えると、通常はビデオデータやオーディオデータなどが格納されるが、例えばこれら以外に複数の言語の字幕データを格納しておくことにより、利用者が選択した言語の字幕を表示させることができる。
【０００４】
また、ほとんどのＤＶＤ再生装置では、ＤＶＤに記録された映画等を再生する際に、通常の再生速度で再生を行う場合に加えて、早送りや早戻しの操作指示を入力することにより、例えば２倍速〜３０倍速などの再生速度による再生動作を行い、所望の再生位置を探すことができるようになっている。この再生動作は、再生速度が遅い場合には、通常再生時と同じ枚数（例えば、６０枚／秒）の映像をデコードし、映像を出力する段階で再生速度に応じた割合で映像を間引くことによって実現される。また、再生速度が速い場合には、所定の再生単位であるＶＯＢＵ（ビデオ・オブジェクト・ユニット）自体を飛び飛びに抽出して再生することにより、様々な再生速度での再生動作を実現している。
【０００５】
【発明が解決しようとする課題】
ところで、従来のディスク再生装置では、字幕を表示させながら映画等の映像と音声を再生しているときに、再生速度を速く（例えば、２倍速以上）設定して再生動作を行った場合には、デコード処理が間に合わなくなることから、通常であれば字幕が表示される場面で字幕が表示されなくなる場合があった。このため、早送りや早戻しを行って所望の再生位置を探す際に、字幕の内容を参考にすることができないこととなり、例えば、映像にそれほど変化がなくセリフ（音声の内容）だけが変化している場面が続いている場合に所望の再生位置を探し出すことが容易ではなく、操作性が悪いという問題があった。
【０００６】
また、従来のディスク再生装置では、１倍速より速い再生速度での再生動作から通常再生に復帰したときに、復帰した再生位置によってはその時点の音声に対応した字幕が表示されず、次の字幕から表示が行われるのが一般的であった。この場合には、次の字幕が表示されるまで待つか、あるいは再度、１倍速より速い再生速度での再生動作を行って字幕の再生位置を探すなどの煩雑な操作を行わなければ、字幕を目安にして再生位置を探すことができず、操作性が悪かった。
【０００７】
本発明は、このような点に鑑みて創作されたものであり、その目的は、所望の再生位置を探す際の操作性を向上させることができるディスク再生装置を提供することにある。
【０００８】
【課題を解決するための手段】
上述した課題を解決するために、本発明のディスク再生装置は、ディスク型記録媒体に記録された映像と字幕の再生を行うときに、字幕の再生が可能なｎ倍速の再生速度で映像と字幕の再生を行う高速再生動作と、高速再生動作を行わずに再生位置を移動させる移動動作とを交互に繰り返している。具体的には、本発明のディスク再生装置は、高速再生動作とともに通常速度で映像と字幕を再生する通常再生動作を再生手段により行い、移動手段により移動動作を行っており、操作手段を用いてｎ倍速よりも速い再生速度での再生動作が指示されたときに、制御手段により、再生手段によるｎ倍速の高速再生動作と移動手段による移動動作を交互に繰り返す制御を行っている。
【０００９】
字幕の再生が可能なｎ倍速の再生速度による高速再生動作と再生位置を移動させる移動動作とを交互に繰り返すことにより、ｎ倍速よりも速い再生速度での再生動作を実現しているので、ｎ倍速よりも速い再生速度の再生動作が指示された場合にも字幕を再生して表示することが可能となる。したがって、字幕を目安にして所望の再生位置を探すことが可能となり操作性を向上させることができる。
【００１０】
また、字幕の再生に必要な字幕情報が映像の再生に必要な映像情報の一部に分散して対応している場合に、移動手段は、字幕とこれに対応する映像の再生が行われた後に、次に字幕の再生が可能な位置まで再生位置を移動させることが望ましい。字幕の再生が可能な位置を探して再生位置を移動することにより、字幕を確実に拾い出して再生することができる。
【００１１】
また、移動手段による移動動作の移動量を可変に設定する移動量可変手段をさらに備えておくことが望ましい。これにより、ｎ倍速よりも速い再生速度で再生動作を行う際の再生速度を任意に設定することが可能になる。
また、字幕の再生に必要な字幕情報の再生可能位置が決められている場合に、移動手段は、移動させた再生位置が再生可能位置からずれているときに、前後の所定範囲に含まれる再生可能位置を検出して再生位置の調整を行うことが望ましい。前後に含まれる再生可能位置を検出して再生位置の調整を行っているので、移動後の再生位置が字幕の再生可能位置からずれている場合にも、字幕表示を行うことができる。
【００１２】
上述した再生手段は、移動手段によって所定範囲内での再生可能位置の検出が行えなかったときに、字幕の再生を伴わない高速再生動作を一時的に行うことが望ましい。これにより、字幕の表示されない期間が長く続いており、字幕の再生可能位置がしばらく存在しない場合に、移動手段による再生可能位置の検出をある程度の時間で打ち切って高速再生動作を行うことが可能となるので、表示される場面と場面の間が大きく空いて前後のつながりが分かりにくくなることを防ぐことができる。
【００１３】
また、ディスク型記録媒体に記録された一連の再生情報に通常速度以外の再生速度での再生動作が制限される制限領域が含まれているときに、再生手段は、移動手段によって移動された再生位置が制限領域に含まれている場合に、この制限領域から外れるまで通常再生動作を行うことが望ましい。これにより、移動動作によって再生位置が制限領域に含まれた場合には、制限に応じた通常速度での再生動作を確実に行うことができる。
【００１４】
上述した移動手段による移動動作は、再生位置を早送りする方向、または再生位置を早戻しする方向で行われることが望ましい。これにより、順方向（再生時間が進む方向）または逆方向（再生時間が戻る方向）のいずれか所望の方向へ移動動作を行わせることができる。
【００１５】
上述した字幕の再生が可能なｎ倍速の再生速度は、２倍速の再生速度であることが望ましい。２倍速程度の再生速度であれば映像や字幕のデコード処理が容易であるのでさほど高価なデコーダを備える必要がなく、ディスク再生装置のコストアップを回避することができる。また２倍速の再生速度であれば、表示される字幕の内容を利用者が読んで判読することも容易となる。
【００１６】
上述したディスク型記録媒体がデジタルバーサタイルディスクである場合に、移動手段は、ビデオ・オブジェクト・ユニットを単位として再生位置の移動動作を行うことが望ましい。映画等が記録されたデジタルバーサタイルディスク（ＤＶＤ）では、周知のＤＶＤ−Ｖｉｄｅｏ規格に基づいて、ビデオ・オブジェクト・ユニットを所定の再生単位として映像や字幕などのデータが記録されている。したがって、ビデオ・オブジェクト・ユニットを単位として移動動作を行うことにより、データの取り扱いが容易になり処理の簡略化が可能となる。
【００１７】
また、ディスク型記録媒体がデジタルバーサタイルディスク（ＤＶＤ）である場合には、再生可能位置として、サブピクチャ・ユニットの先頭位置を用いることが望ましい。そして移動手段は、ビデオ・オブジェクト・ユニットを単位として再生位置の移動動作を行う際に、移動後のビデオ・オブジェクト・ユニットにサブピクチャ・ユニットの先頭位置が含まれない場合に、この先頭位置が含まれるビデオ・オブジェクト・ユニットを移動先近傍で検索することが望ましい。映画等を収録した一般的なＤＶＤでは、字幕表示用データとしてサブピクチャ・ユニットが記録されているが、このサブピクチャ・ユニットでは、先頭位置にサブピクチャの再生を制御するための制御用データや、実際のサブピクチャ表示に用いる画像データの格納位置を示す情報が含まれているので、サブピクチャ・ユニットの先頭位置を再生可能位置としておき、移動後のビデオ・オブジェクト・ユニットにサブピクチャ・ユニットの先頭位置が含まれない場合には、その近傍で先頭位置を含むサブピクチャ・ユニットを検索することにより、字幕表示を確実に行うことができる。
【００１８】
また、移動手段によるサブピクチャ・ユニットの先頭位置の検索は、この検索動作に先立って取得するナビゲーション・パックの情報に基づいて行われることが望ましい。各ビデオ・オブジェクト・ユニットには、そのビデオ・オブジェクト・ユニットに含まれている映像や字幕、あるいは音声等に関する各種情報を含んだナビゲーション・パックが含まれているので、ナビゲーション・パックの情報を参照することにより、サブピクチャ・ユニットの先頭位置の検索を容易に行うことができる。
【００１９】
また、ディスク型記録媒体がデジタルバーサタイルディスクであり、上述した制限領域がセルを単位として設定されている場合に、再生手段は、制限領域が設定されたセルに再生位置が移動したときに通常再生動作を行うことが望ましい。制限領域が設定されているか否かをセル毎に判断すればよいため処理が容易となり、処理負担を軽減することができる。
【００２０】
【発明の実施の形態】
以下、本発明を適用した一実施形態のディスク再生装置について、図面を参照しながら説明する。
（１）ＤＶＤに記録されたデータの内容
まず、ディスク型記録媒体としてのＤＶＤに記録されたデータの詳細について説明する。
【００２１】
図１は、ＤＶＤのボリューム空間の構造を示す図である。ＤＶＤのボリューム空間は、ＤＶＤの内周から外周に向かって、ボリューム・ファイル構造、ＤＶＤ−Ｖｉｄｅｏゾーン、ＤＶＤ  ｏｔｈｅｒゾーンによって構成されている。これらのうち、ＤＶＤ−Ｖｉｄｅｏゾーンには、再生動作に必要な各種のデータが含まれている。ＤＶＤ−Ｖｉｄｅｏゾーンは、ビデオマネージャ（ＶＭＧ）と各タイトルに対応する１つ以上のビデオタイトルセット（ＶＴＳ）によって構成されている。
【００２２】
図２は、ＶＭＧのデータ構造を示す図である。ＶＭＧは、ビデオマネージャ情報（ＶＭＧＩ）、ＶＭＧメニュー用ビデオオブジェクトセット（ＶＭＧＭ＿ＶＯＢＳ）、ＶＭＧＩのバックアップ用ファイル（ＶＭＧＩ＿ＢＵＰ）によって構成されている。ＶＭＧＩは、ＶＴＳに関する情報（ＶＴＳの数、各ＶＴＳを識別するためのＶＴＳ番号、ＤＶＤ内の各ＶＴＳの格納位置等）、タイトルメニューに表示されるタイトルの表示順、１つ以上のプログラムチェーン情報（ＰＧＣＩ）、ＤＶＤを識別するためのＶＭＧ識別情報（ＶＭＧ＿ＩＤ）、ディスク名（例えば映画の題名）等が含まれている。ＶＭＧＭ＿ＶＯＢＳは、１つ以上のビデオオブジェクト（ＶＯＢ）によって構成されている。このＶＯＢは、タイトルを選択するためのメニュー画面（タイトルメニュー画面）を再生する際の再生データであるビデオデータを含んでいる。
【００２３】
図３は、ＶＴＳのデータ構造を示す図である。ＶＴＳは、ビデオタイトルセット情報（ＶＴＳＩ）、ＶＴＳメニュー用ビデオオブジェクトセット（ＶＴＳＭ＿ＶＯＢＳ）、ＶＴＳタイトル用ビデオオブジェクトセット（ＶＴＳＴＴ＿ＶＯＢＳ）、ＶＴＳＩのバックアップ用ファイル（ＶＴＳＩ＿ＢＵＰ）によって構成されている。
【００２４】
ＶＴＳＩは、タイトルに関する情報、ＶＴＳ内の各チャプタ（ＰＴＴ）を識別するためのＰＴＴ番号、１つ以上のＰＧＣＩ等が含まれている。ＶＴＳＭ＿ＶＯＢＳおよびＶＴＳＴＴ＿ＶＯＢＳは、１つ以上のＶＯＢによって構成されている。このＶＯＢは、ビデオデータやオーディオデータ等の再生データを含んでいる。タイトルの再生データは、ＶＴＳＴＴ＿ＶＯＢＳ内のＶＯＢ＃１〜＃ｉに含まれている。チャプタは、タイトルを分割した単位であり、チャプタの再生データは、１つ以上のセルで構成され、ＶＴＳＴＴ＿ＶＯＢＳ内の１あるいは複数のＶＯＢに含まれる。または、１ＶＯＢに複数のチャプタが含まれる。例えば、図３に示すように、タイトルはチャプタ＃１〜＃ｐに分割されており、チャプタ＃１の再生データはＶＯＢ＃１〜＃３に含まれており、チャプタ＃２の再生データは、ＶＯＢ＃４、＃５に含まれている。
【００２５】
図４は、上述したＶＭＧＭ＿ＶＯＢＳ、ＶＴＳＭ＿ＶＯＢＳ、ＶＴＳＴＴ＿ＶＯＢＳに含まれるＶＯＢのデータ構造を示す図である。ＶＯＢは、複数のセルによって構成されている。早送りや早戻し等、通常の再生速度以外の再生速度での再生動作を制限する場合には、このセルを単位としてその旨が設定される。また各セルは、複数のビデオ・オブジェクト・ユニット（ＶＯＢＵ）によって構成されている。各ＶＯＢＵは、ナビゲーションパック（ＮＶ＿ＰＣＫ）と、ビデオパック（Ｖ＿ＰＣＫ）、サブピクチャパック（ＳＰ＿ＰＣＫ）およびオーディオパック（Ａ＿ＰＣＫ）の少なくとも１つを含んで構成されている。
【００２６】
ＮＶ＿ＰＣＫは、再生制御情報（ＰＣＩ）、データサーチ情報（ＤＳＩ）を含んで構成されている。ＰＣＩとＤＳＩには、ＶＯＢＵのデータ量、次に再生すべきＶＯＢＵの位置等の情報が設定されている。Ｖ＿ＰＣＫ、ＳＰ＿ＰＣＫ、Ａ＿ＰＣＫは、それぞれ再生データの種別（動画、サブピクチャ、オーディオ）等の情報が含まれているパックヘッダ、パケットヘッダや、データ圧縮されたビデオデータ、サブピクチャデータ、オーディオデータ（圧縮再生データ）を含んで構成されている。
【００２７】
また、ＶＯＢＵに含まれる複数のＳＰ＿ＰＣＫを合成することにより、字幕再生時の処理単位であるサブピクチャ・ユニット（ＳＰＵ）が構成される。図５は、ＳＰＵのデータ構造を示す図である。図５に示すように、ＳＰＵは、先頭から順に、サブピクチャ・ユニット・ヘッダ（ＳＰＵＨ）、ピクセル・データ（ＰＸＤ）、サブピクチャ表示制御シーケンス・テーブル（ＳＰ＿ＤＣＳＱＴ）を含んで構成されている。ＳＰＵＨは、ＳＰＵのデータサイズとＳＰ＿ＤＣＳＱＴの先頭アドレスとを含んでいる。ＰＸＤは、サブピクチャを表示するための画像データを含んでいる。ＳＰ＿ＤＣＳＱＴは、サブピクチャの表示開始時刻や表示終了時刻など、表示状態の制御に必要な制御用データを含んでいる。
【００２８】
（２）ディスク再生装置の全体構成
図６は、本発明を適用した一実施形態のディスク再生装置の全体構成を示す図である。図６に示すディスク再生装置１００は、スピンドルモータ１２、光ピックアップ１４、送りモータ１６、サーボ制御部１８、ＲＦアンプ２２、デジタル信号処理部２４、４個のバッファ用ＲＡＭ２６、３４、３８、４２、ストリーム分離部３０、オーディオデコーダ３２、ビデオデコーダ３６、サブピクチャデコーダ４０、ビデオプロセッサ４４、ビデオエンコーダ４６、ディスプレイ装置４７、デジタル−アナログ（Ｄ／Ａ）変換器４８、スピーカ４９、操作部５８、システムコントローラ６０、ＲＡＭ６２を含んで構成されている。
【００２９】
スピンドルモータ１２は、ＤＶＤ１０を所定速度で回転させる。光ピックアップ１４は、ＤＶＤ１０に記録されたデータを検出するものであり、例えば半導体レーザとホトダイオードとが内蔵されている。送りモータ１６は、光ピックアップ１４をＤＶＤ１０の径方向に移動させる。
【００３０】
サーボ制御部１８は、システムコントローラ６０の指示に応じて、上述したスピンドルモータ１２および送りモータ１６を駆動するとともに、光ピックアップ１４に内蔵された対物レンズ（図示せず）を動かすことにより、半導体レーザの焦点位置をＤＶＤ１０の記録面と垂直方向および水平方向に移動させる。また、サーボ制御部１８は、ＤＶＤ１０からのデータの読み取りに必要な各種のサーボ（フォーカスサーボ、トラッキングサーボ、回転サーボ）制御を行う。
【００３１】
ＲＦアンプ２２は、光ピックアップ１４に内蔵されたホトダイオードから出力される電気信号を増幅する。デジタル信号処理部２４は、ＲＦアンプ２２から出力される信号に対して、デジタルデータに変換した後にＤＶＤ１０のデータフォーマットに応じた信号復調処理（８−１６復調処理）と誤り訂正処理を行い、ＲＡＭ２６に格納する。そして、デジタル信号処理部２４は、システムコントローラ６０の指示に応じて、ＲＡＭ２６から制御用データを抽出してシステムコントローラ６０に出力するとともに、ＶＯＢＵを抽出してストリーム分離部３０に出力する。
【００３２】
ストリーム分離部３０は、システムコントローラ６０の指示に応じて、デジタル信号処理部２４から出力されるＶＯＢＵに含まれているＮＶ＿ＰＣＫ、Ａ＿ＰＣＫ、Ｖ＿ＰＣＫ、ＳＰ＿ＰＣＫのそれぞれを分離し、各デコーダに振り分けて出力する。具体的には、Ａ＿ＰＣＫはオーディオデコーダ３２に出力され、Ｖ＿ＰＣＫはビデオデコーダ３６に出力され、ＳＰ＿ＰＣＫはサブピクチャデコーダ４０に出力され、ＮＶ＿ＰＣＫはシステムコントローラ６０に転送される。
【００３３】
オーディオデコーダ３２は、ストリーム分離部３０から出力されるＡ＿ＰＣＫに対して所定のデコード処理を行ってオーディオデータを出力する。ビデオデコーダ３６は、ストリーム分離部３０から出力されるＶ＿ＰＣＫに対して所定のデコード処理を行ってビデオデータを出力する。サブピクチャデコーダ４０は、ストリーム分離部３０から出力されるＳＰ＿ＰＣＫに対して所定のデコード処理を行ってサブピクチャデータを出力する。
【００３４】
ビデオプロセッサ４４は、システムコントローラ６０の指示に応じて、ビデオデコーダ３６から出力されるビデオデータとサブピクチャデコーダ４０から出力されるサブピクチャデータとを合成した画像データを生成し、ビデオエンコーダ４６に出力する。
【００３５】
ビデオエンコーダ４６は、ビデオプロセッサ４４から出力される画像データを表示用の画像信号に変換する。この画像信号がディスプレイ装置４７に出力されることによって、画像が表示される。
Ｄ／Ａ変換器４８は、オーディオデコーダ３２から出力されるオーディオデータをアナログのオーディオ信号に変換する。このオーディオ信号がスピーカ４９に出力されることによって、オーディオ音の再生が行われる。
【００３６】
操作部５８は、再生キー、停止キー、早送りキー、早戻しキー等の各種操作キーを備えており、キーの操作状態に応じた信号をシステムコントローラ６０に向けて出力する。この操作部５８を用いて、２倍速〜３０倍速など再生速度を任意に指定し再生動作の指示を行うことができるようになっている。
【００３７】
システムコントローラ６０は、各種のサーボ指令をサーボ制御部１８に出力したり、利用者の操作指示に応じた画像生成指示をビデオプロセッサ４４に出力する等、全機能ブロックの制御を行うものであり、移動量設定部７０を備えている。
【００３８】
移動量設定部７０は、早送りまたは早戻しの指示に対応して、再生位置を移動させる動作を行う際の移動量を可変に設定する処理を行う。具体的には、本実施形態のディスク再生装置１００は、早送り等を行うときに、利用者から指定された再生速度が２倍速の場合には従来通りの高速再生動作、すなわち通常再生時と同様に映像および字幕をデコードし、映像（字幕含む）を出力する段階で、画面を１枚おきに間引くことによる高速再生動作を行っている。また、２倍速以上の再生速度での早送り等が指示された場合には、上述した２倍速での高速再生動作と、高速再生動作を行わずに再生位置をＶＯＢＵ単位で移動させる移動動作とを交互に繰り返すことにより、２倍速以上の再生速度での早送り等を実現している。移動量設定部７０は、２倍速以上の再生速度での早送り等が指示された場合に、指定された再生速度に応じて何個分のＶＯＢＵを移動させるかを設定することにより再生位置の移動量を設定している。これによりｎ倍速よりも速い再生速度で再生動作を行う際の再生速度を任意に設定することが可能になる。また、ＶＯＢＵを単位として移動動作を行うことにより、データの取り扱いが容易になり処理の簡略化が可能となる。
【００３９】
上述したビデオデコーダ３６、サブピクチャデコーダ４０が再生手段に、システムコントローラ６０が移動手段および制御手段に、操作部５８が操作手段に、移動量設定部７０が移動量可変手段にそれぞれ対応している。
（３）ディスク再生装置の動作
本実施形態のディスク再生装置１００は上述した構成を有しており、次に２倍速以上の再生速度での再生動作が指示された場合におけるディスク再生装置１００の動作について説明する。
【００４０】
図７は、再生位置を早送りする方向へ２倍速以上の再生速度で再生動作を行う場合のディスク再生装置１００の動作手順を示す流れ図である。
システムコントローラ６０は、通常再生動作中に利用者により、２倍速以上の再生速度での再生動作（早送り）の指示が、操作部５８を用いてなされたか否かを判定する（ステップ１００）。２倍速以上の再生速度での再生動作が指示されない場合には否定判断が行われ、ステップ１００の判定が繰り返される。
【００４１】
２倍速以上の再生動作が指示されると、ステップ１００で肯定判断が行われ、システムコントローラ６０は、現在の再生位置に対応するセルが早送り等の禁止されたアクセス制限セルであるか否かを判定する（ステップ１０１）。アクセス制限セルである場合には、ステップ１０１で肯定判断が行われ、システムコントローラ６０は、高速再生動作を不許可とする処理を行う（ステップ１０２）。具体的には、高速再生動作は実行されず、早送り操作の指示を受け付けられない旨の表示が行われ、その後、通常再生動作へ復帰する。
【００４２】
現在の再生位置に対応するセルがアクセス制限セルでない場合には、ステップ１０１で否定判断が行われ、次にシステムコントローラ６０内の移動量設定部７０は、利用者による操作指示に基づいて、再生位置を移動させる際の移動量を設定する（ステップ１０３）。ここでは、上述したようにＶＯＢＵを単位として、例えば「ＶＯＢＵを３個分」というように移動量が設定される。システムコントローラ６０は、設定された移動量に基づいて、早送り方向へ再生位置を移動させる制御を行う（ステップ１０４）。
【００４３】
次にシステムコントローラ６０は、移動後の再生位置が、移動前における再生位置に対応するセルと同一のセル内にあるか否かを判定する（ステップ１０５）。移動後の再生位置が同一セル内にある場合には、ステップ１０５で肯定判断が行われ、システムコントローラ６０は、現在の再生位置に対応するＶＯＢＵに含まれるＮＶ＿ＰＣＫ（ナビゲーション・パック）を取得し（ステップ１０６）、現ＶＯＢＵにＳＰＵが含まれているか否かを判定する（ステップ１０７）。このように、ナビゲーション・パックを参照することにより、ＳＰＵの格納位置を容易に検索することができる。
【００４４】
現ＶＯＢＵにＳＰＵが含まれている場合には、ステップ１０７で肯定判断が行われ、システムコントローラ６０は、このＳＰＵが先頭に対応するものであるか否かを判定する（ステップ１０８）。具体的には、ＳＰＵに基づいて表示される字幕の有効期間は複数のＶＯＢＵにまたがっている場合があり、この場合には、有効期間の開始時刻に対応するＶＯＢＵに含まれているＳＰＵが「先頭に対応するＳＰＵ」ということになる。また、字幕の有効期間が複数のＶＯＢＵにまたがっていない場合には、各ＶＯＢＵに含まれているＳＰＵがそれぞれ「先頭に対応するＳＰＵ」ということになる。なお、ＶＯＢＵとＳＰＵとの対応関係の具体例については後述する。ＳＰＵが先頭に対応するものでない場合には、ステップ１０８で否定判断が行われ、システムコントローラ６０は、このＳＰＵの先頭へ再生位置を移動する（ステップ１０９）。
【００４５】
ステップ１０９に示した処理が行われ、または、ＳＰＵが先頭に対応するものである場合（ステップ１０８で肯定判断）、次にシステムコントローラ６０は、現在の再生位置に対応するＶＯＢＵを取得し（ステップ１１０）、このＶＯＢＵを用いて、映像と字幕を２倍速の再生速度で再生し、表示する処理を行う（ステップ１１１）。
【００４６】
その後、システムコントローラ６０は、利用者により、操作部５８を用いて通常再生へ復帰する旨の操作指示が行われたか否かを判定する（ステップ１１２）。通常再生への復帰指示がなされない場合には、ステップ１１２で否定判断が行われ、上述したステップ１０４に戻って以後の処理が繰り返される。また、通常再生への復帰指示がなされた場合には、ステップ１１２で肯定判断が行われ、システムコントローラ６０は高速再生動作を解除し、通常動作へ復帰する。
【００４７】
また、移動後の再生位置に対応するＶＯＢＵにＳＰＵが含まれていない場合には、上述したステップ１０７で否定判断がなされ、システムコントローラ６０は、移動後の再生位置の周辺で所定数のＶＯＢＵを検索し、ＳＰＵが存在するか否かを判定する（ステップ１１３）。例えば、再生位置の前後２個のＶＯＢＵが検索対象とされる。
【００４８】
ＳＰＵが存在しない場合には、ステップ１１３で否定判断がなされ、システムコントローラ６０は、所定数のＶＯＢＵを検索したか否かを判定する（ステップ１１４）。検索したＶＯＢＵの個数が所定数を超えていない場合には、ステップ１１４で否定判断が行われ、上述したステップ１１３に戻って以後の処理が繰り返される。
【００４９】
移動後の再生位置の周辺にＳＰＵが存在する場合には、ステップ１１３で肯定判断が行われ、システムコントローラ６０は、上述したステップ１０８に進んで以後の処理を行う。また、所定数のＶＯＢＵを検索し終えた場合には、ステップ１１４で肯定判断が行われ、システムコントローラ６０は、上述したステップ１１０に進み、移動後の再生位置に対応するＶＯＢＵ（ＳＰＵを含んでいないＶＯＢＵ）を取得し、それ以降の処理を行う。
【００５０】
また、移動後の再生位置が同一セル内にない場合には、上述したステップ１０５で否定判断が行われ、システムコントローラ６０は、移動後の再生位置に対応するセルが、再生時の論理単位であるプログラム・チェーン（ＰＧＣ）の最終セルであるか否かを判定する（ステップ１１５）。最終セルである場合には、ステップ１１５で肯定判断が行われ、システムコントローラ６０は高速再生動作を解除し、通常の再生動作へ復帰する。
【００５１】
また最終セルでない場合には、ステップ１１５で否定判断が行われ、次にシステムコントローラ６０は、現在のセルがアクセス制限セルであるか否かを判定する（ステップ１１７）。アクセス制限セルでない場合には、ステップ１１７で否定判断がなされ、システムコントローラ６０は、上述したステップ１０４に戻って以後の処理を行う。またアクセス制限セルである場合には、ステップ１１７で肯定判断が行われ、システムコントローラ６０は高速再生動作を解除し（ステップ１１８）、通常の再生動作へ復帰する。このように、移動後の再生位置がアクセル制限セル（制限領域）に含まれるか否かを判定しているので、制限が存在する場合にはそれに応じて通常速度での再生動作を確実に行わせることができる。特に、制限領域が設定されているか否かをセル毎に判断すればよいため処理が容易となり、処理負担を軽減することができる。
【００５２】
図８は、再生位置を早送りする方向へ２倍速以上の再生速度の再生動作を行う場合の動作内容の具体例を示す図である。図８では、１〜２１までの番号を付与された四角形がＶＯＢＵを表し、これらのＶＯＢＵの中に含まれているハッチングが施された四角形がＳＰＵを表している。なおＳＰＵについては、四角形の長辺方向の長さが字幕を表示する有効期間を表すように表現されている。また、移動量については、「ＶＯＢＵを３個分」と設定されているものとする。
【００５３】
ＶＯＢＵ１を用いての通常再生動作が行われているときに、２倍速以上の再生速度での再生動作が指示されると、まずＶＯＢＵ１を用いて２倍速での高速再生動作が行われる。次に、設定された移動量に基づいて再生位置の移動動作が行われる。具体的には、ＶＯＢＵ２〜４をとばして、再生位置がＶＯＢＵ５に移動する。ＶＯＢＵ５にはＳＰＵ＃２の先頭位置が含まれているため、ＶＯＢＵ５を用いて２倍速の再生速度で映像および字幕の高速再生動作が行われる。ＶＯＢＵ５を用いての高速再生動作が終了すると、再生位置の移動動作が行われ、ＶＯＢＵ６〜８をとばして、再生位置がＶＯＢＵ９に移動される。ＶＯＢＵ９にはＳＰＵ＃４が含まれてはいるがＳＰＵ＃４の先頭位置ではない。そのため、ＳＰＵ＃４の先頭位置を含むＶＯＢＵ８を再生位置とする調整がなされる。そして、ＶＯＢＵ８を用いて２倍速の再生速度での高速再生動作が行われる。
【００５４】
ＶＯＢＵ８を用いての高速再生動作が終了すると、再生位置の移動動作が行われ、ＶＯＢＵ９〜１１をとばして、再生位置がＶＯＢＵ１２に移動される。ここで、ＶＯＢＵ１２にはＳＰＵが含まれていないため、前後の所定数のＶＯＢＵ内にＳＰＵが含まれているか否かが検索される。図８に示す例では、ＶＯＢＵ１４にＳＰＵ＃５が含まれているため、再生位置をＶＯＢＵ１４とする調整がなされ、ＶＯＢＵ１４を用いて２倍速の再生速度での高速再生動作が行われる。このように、再生可能位置としてのＳＰＵの先頭位置を検出して再生位置の調整を行っているので、移動後の再生位置が字幕の表示可能位置からずれている場合にも字幕表示を行うことができる。
【００５５】
ＶＯＢＵ１４を用いての高速再生動作が終了すると、再生位置の移動動作が行われ、再生位置がＶＯＢＵ１８に移動される。ここで、ＶＯＢＵ１８にはＳＰＵが含まれていないため、前後の所定数のＶＯＢＵ内のＳＰＵが検索される。図８に示す例では、前後２個分のＶＯＢＵであるＶＯＢＵ１６、１７、１９、２０が検索対象とされているが、いずれのＶＯＢＵにもＳＰＵが含まれていないため、ＶＯＢＵ１８を用いて高速再生動作が行われる。これにより、字幕の表示されない期間が長く続いており、字幕の再生可能位置（ＳＰＵの先頭位置）がしばらく存在しない場合に、再生可能位置の検索動作をある程度の処理量で打ちきって高速再生動作を行うことができるので、表示される場面と場面の間が大きく空いて前後のつながりが分かりにくくなることを防ぐことができる。
【００５６】
次に、再生位置を早戻しする方向で高速再生動作を行う場合のディスク再生装置１００の動作について説明する。図９は、再生位置を早戻しする方向へ２倍速以上の再生速度の再生動作を行う場合のディスク再生装置１００の動作手順を示す流れ図である。
【００５７】
図９に示す動作手順は、基本的に上述した図７に示す動作手順と同様であり、２倍速以上の再生動作を行う方向の差異に対応して、図７に示すステップ１００、ステップ１０４、ステップ１１５の処理が、ステップ１００Ａ、ステップ１０４Ａ、ステップ１１５Ａにそれぞれ置き換えられた点が異なっている。以下、主に相違点に着目して説明を行う。
【００５８】
ステップ１００では、再生位置を「早送り」する方向への２倍速以上の再生動作が指示されたか否かが判定されていたが、ステップ１００Ａでは、再生位置を「早戻し」する方向への２倍速以上の再生動作が指示されたか否かが判定される。また、ステップ１０４では、設定された移動量に基づいて「早送り方向」へ再生位置を移動させる制御が行われていたが、ステップ１０４Ａでは、設定された移動量に基づいて「早戻し方向」へ再生位置を移動させる制御が行われる。ステップ１１５では、移動後の再生位置に対応するセルがプログラム・チェーン（ＰＧＣ）の「最終セル」であるか否かが判定されていたが、ステップ１１５Ａでは、移動後の再生位置に対応するセルがプログラム・チェーン（ＰＧＣ）の「先頭セル」であるか否かが判定される。
【００５９】
図１０は、再生位置を早戻しする方向へ２倍速以上の再生動作を行う場合の動作内容の具体例を示す図である。図８の場合と同様に、１〜２１までの番号を付与された四角形がＶＯＢＵを表し、これらのＶＯＢＵの中に含まれているハッチングが施された四角形がＳＰＵを表している。ＳＰＵについては、四角形の長辺方向の長さが字幕を表示する有効期間を表すように表現されている。また、移動量については、「ＶＯＢＵを３個分」と設定されているものとする。
【００６０】
ＶＯＢＵ２１を用いての通常再生動作が行われているときに、２倍速以上の再生速度での再生動作が指示されると、設定された移動量に基づいて早戻し方向への再生位置の移動動作が行われ、ＶＯＢＵ１８〜２０をとばして、再生位置がＶＯＢＵ１７に移動する。ここで、ＶＯＢＵ１７にはＳＰＵが含まれていないため、前後の所定数のＶＯＢＵ内のＳＰＵが検索される。図１０に示す例では、前後２個分のＶＯＢＵであるＶＯＢＵ１５、１６、１８、１９が検索されるが、いずれのＶＯＢＵにもＳＰＵが含まれていないため、ＶＯＢＵ１７を用いて２倍速の再生速度で映像のみの高速再生動作が行われる。
【００６１】
ＶＯＢＵ１７を用いての高速再生動作が終了すると、再生位置の移動動作が行われ、ＶＯＢＵ１４〜１６をとばして、再生位置がＶＯＢＵ１３に移動される。ＶＯＢＵ１３にはＳＰＵ＃７の先頭位置が含まれているため、ＶＯＢＵ１３を用いて２倍速の再生速度での高速再生動作が行われる。ＶＯＢＵ１３を用いての高速再生動作が終了すると、再生位置の移動動作が行われ、再生位置がＶＯＢＵ９に移動される。ここで、ＶＯＢＵ９にはＳＰＵ＃４が含まれてはいるがＳＰＵ＃４の先頭位置ではない。そのため、再生位置をＳＰＵ＃４の先頭位置を含むＶＯＢＵ８とする調整が行われる。そして、ＶＯＢＵ８を用いて２倍速の再生速度での高速再生動作が行われる。
【００６２】
ＶＯＢＵ８を用いての高速再生動作が終了すると、再生位置の移動動作が行われ、ＶＯＢＵ５〜７をとばして、再生位置がＶＯＢＵ４に移動される。ここで、ＶＯＢＵ４にはＳＰＵが含まれていないため、周辺のＶＯＢＵ内にＳＰＵが含まれているか否かが検索される。図１０に示す例では、ＶＯＢＵ５にＳＰＵ＃２の先頭位置が含まれているため、再生位置をＶＯＢＵ５とする調整が行われ、ＶＯＢＵ５を用いて２倍速の再生速度での高速再生動作が行われる。ＶＯＢＵ５を用いての高速再生動作が終了すると、再生位置の移動動作が行われ、再生位置がＶＯＢＵ１へ移動される。
【００６３】
このように、本実施形態のディスク再生装置１００は、字幕の再生が可能な２倍速の再生速度による高速再生動作と、再生位置を移動させる移動動作とを交互に繰り返すことにより、２倍速よりも速い再生速度での再生動作を実現しているので、２倍速よりも速い再生速度の再生動作が指示された場合にも字幕を再生して表示することが可能となる。また、再生可能位置としてのＳＰＵの先頭位置を検出して再生位置の調整を行っているので、移動後の再生位置が字幕の表示可能位置からずれている場合にも字幕表示を行うことができる。したがって、字幕を目安にして所望の再生位置を探すことが可能となり操作性を向上させることができる。特に、高速再生動作を２倍速の再生速度で行っているので、映像や字幕のデコード処理が容易であり、さほど高価なデコーダを備える必要がなく、ディスク再生装置１００のコストアップを回避することができる。また、２倍速の再生速度であれば、表示される字幕の内容を利用者が読んで判読することが容易である。
【００６４】
なお、本発明は上記実施形態に限定されるものではなく、本発明の要旨の範囲内において種々の変形実施が可能である。例えば、上述した実施形態では、２倍速よりも速い再生速度での再生動作を行うときに、再生速度に応じて設定した移動量に基づいてＶＯＢＵを間欠的に抽出しており、抽出したＶＯＢＵにＳＰＵが含まれない場合にはその周辺に存在するＶＯＢＵ内でのＳＰＵの有無を検索していたが、ＳＰＵの先頭を含んでいるＶＯＢＵを順次検索して２倍速での高速再生動作を行い、それ以外のＶＯＢＵについては高速再生動作を行わずに再生位置を移動させるようにしてもよい。
【００６５】
図１１は、ＳＰＵの先頭位置を含むＶＯＢＵを順次検索する変形例において、再生位置を早送りする方向へ２倍速以上の再生速度の再生動作を行う場合の動作内容の具体例を示す図である。上述した図８等と同様に、１〜１２までの番号を付与された四角形がＶＯＢＵを表し、これらのＶＯＢＵの中に含まれているハッチングが施された四角形がＳＰＵを表している。ＳＰＵについては、四角形の長辺方向の長さが字幕を表示する有効期間を表すように表現されている。
【００６６】
ＶＯＢＵ１を用いての通常再生動作が行われているときに、２倍速以上の再生速度での再生動作が指示されると、まず現在の再生位置よりも早送り方向に存在するＶＯＢＵであってＳＰＵの先頭位置を含むものが検索される。図１２では、ＶＯＢＵ２にＳＰＵ＃１の先頭位置が含まれているので、このＳＰＵ＃１の有効期間に対応して、ＶＯＢＵ２、３を用いて２倍速での高速再生動作が行われる。
【００６７】
ＶＯＢＵ２、３を用いての高速再生動作が終了すると、ＳＰＵの先頭位置を含む次のＶＯＢＵが検索され、ＶＯＢＵ４をとばして、再生位置がＳＰＵ＃２の先頭を含むＶＯＢＵ５に移動し、ＶＯＢＵ５を用いて２倍速の再生速度での高速再生動作が行われる。ＶＯＢＵ５を用いての高速再生動作が終了すると、再生位置の移動動作が行われ、ＳＰＵの先頭位置を含む次のＶＯＢＵが検索され、ＶＯＢＵ６を用いて２倍速の再生速度での高速再生動作が行われる。
【００６８】
ＶＯＢＵ６を用いての高速再生動作が終了すると、ＳＰＵの先頭位置を含む次のＶＯＢＵが検索される。しかし図１１に示す例では、ＳＰＵの先頭を含む次のＶＯＢＵがしばらく存在しないため、ＶＯＢＵを４個分（ＶＯＢＵ７〜１０）とばして再生位置をＶＯＢＵ１１まで移動させた時点で移動動作が一旦中断され、ＳＰＵの先頭を含まないＶＯＢＵ１１を用いて２倍速の再生速度での高速再生動作が行われる。このように、ある程度の個数（図１１では４個）のＶＯＢＵを検索してもＳＰＵの先頭を含むものがない場合には、ＳＰＵの先頭を含まないＶＯＢＵを用いた高速再生動作を行うことにより、字幕の表示されない期間が長く続く場合にも、再生位置が大きく移動しすぎてしまうことを防ぐことができる。
【００６９】
図１２は、ＳＰＵの先頭位置を含むＶＯＢＵを順次検索する変形例において、再生位置を早戻しする方向へ２倍速以上の再生動作を行う場合の動作内容の具体例を示す図である。上述した図８等と同様に、１〜１２までの番号を付与された四角形がＶＯＢＵを表し、これらのＶＯＢＵの中に含まれているハッチングが施された四角形がＳＰＵを表している。ＳＰＵについては、四角形の長辺方向の長さが字幕を表示する有効期間を表すように表現されている。
【００７０】
ＶＯＢＵ１２を用いての通常再生動作が行われているときに、２倍速以上の再生速度での再生動作（早戻し）が指示されると、現在の再生位置よりも早戻し方向に存在するＶＯＢＵであってＳＰＵの先頭位置を含むものが検索される。しかし図１２に示す例では、ＳＰＵの先頭位置を含む次のＶＯＢＵがしばらく存在しないため、ＶＯＢＵを４個分（ＶＯＢＵ８〜１１）をとばし、再生位置をＶＯＢＵ７まで移動させた時点で移動動作が一旦中断され、ＳＰＵの先頭位置を含まないＶＯＢＵ７を用いて２倍速の再生速度での高速再生動作が行われる。
【００７１】
ＶＯＢＵ７を用いての高速再生動作が終了すると、ＳＰＵの先頭位置を含む次のＶＯＢＵが検索され、ＳＰＵ＃３の先頭位置を含むＶＯＢＵ６に再生位置が移動し、ＶＯＢＵ６を用いて２倍速の再生速度での高速再生動作が行われる。ＶＯＢＵ６を用いての高速再生動作が終了すると、ＳＰＵの先頭位置を含む次のＶＯＢＵが検索され、ＳＰＵ＃２の先頭位置を含むＶＯＢＵ５に再生位置が移動し、ＶＯＢＵ５を用いて２倍速の再生速度での高速再生動作が行われる。ＶＯＢＵ５を用いての高速再生動作が終了すると、ＳＰＵの先頭位置を含む次のＶＯＢＵが検索され、ＳＰＵ＃１の先頭位置を含むＶＯＢＵ２に再生位置が移動し、ＳＰＵ＃１の有効期間に対応するＶＯＢＵ２、３を用いて２倍速の再生速度での高速再生動作が行われる。
【００７２】
このように、字幕の再生に必要な字幕情報（ＳＰＵ）が映像の再生に必要な映像情報（ＶＯＢＵ）の一部に分散して対応している場合には、字幕とこれに対応する映像の再生が行われた後に、次に字幕の再生が可能な位置まで再生位置を移動させることにより、字幕を確実に拾い出して再生することができる。
【００７３】
上述した実施形態では、ディスク再生装置１００における処理能力として、字幕の再生が可能な高速再生動作の再生速度が２倍速の場合を想定して説明を行っていたが、字幕の再生が可能な高速再生動作の再生速度が２倍速以上であるディスク再生装置に対しても同様にして本発明を適用することができる。
【００７４】
上述した実施形態では、ディスク再生装置１００にＤＶＤ１０を装填して再生動作を行う場合について説明したが、ビデオＣＤやＤＶＤ−ＲＡＭ（データ書き換え可能なＤＶＤ）など他のディスク型記録媒体に記録された画像の再生を行う場合に本発明を適用することができる。
【００７５】
【発明の効果】
上述したように、本発明によれば、字幕の再生が可能なｎ倍速の再生速度による高速再生動作と再生位置を移動させる移動動作とを交互に繰り返すことにより、ｎ倍速よりも速い再生速度での再生動作が実現されるので、ｎ倍速よりも速い再生速度の再生動作が指示された場合にも字幕を再生して表示することが可能となる。したがって、字幕を目安にして所望の再生位置を探すことが可能となり操作性を向上させることができる。
【図面の簡単な説明】
【図１】ＤＶＤのボリューム空間の構造を示す図である。
【図２】ＶＭＧのデータ構造を示す図である。
【図３】ＶＴＳのデータ構造を示す図である。
【図４】ＶＭＧＭ＿ＶＯＢＳ、ＶＴＳＭ＿ＶＯＢＳ、ＶＴＳＴＴ＿ＶＯＢＳに含まれるＶＯＢのデータ構造を示す図である。
【図５】ＳＰＵのデータ構造を示す図である。
【図６】一実施形態のディスク再生装置の全体構成を示す図である。
【図７】再生位置を早送りする方向へ２倍速以上の再生速度で再生動作を行う場合のディスク再生装置の動作手順を示す流れ図である。
【図８】再生位置を早送りする方向へ２倍速以上の再生速度の再生動作を行う場合の動作内容の具体例を示す図である。
【図９】再生位置を早戻しする方向へ２倍速以上の再生速度の再生動作を行う場合のディスク再生装置の動作手順を示す流れ図である。
【図１０】再生位置を早戻しする方向へ２倍速以上の再生速度の再生動作を行う場合の動作内容の具体例を示す図である。
【図１１】ＳＰＵの先頭位置を含むＶＯＢＵを順次検索する変形例において、再生位置を早送りする方向へ２倍速以上の再生速度の再生動作を行う場合の動作内容の具体例を示す図である。
【図１２】ＳＰＵの先頭位置を含むＶＯＢＵを順次検索する変形例において、再生位置を早戻しする方向へ２倍速以上の再生速度の再生動作を行う場合の動作内容の具体例を示す図である。
【符号の説明】
１０  ＤＶＤ
１２  スピンドルモータ
１４  光ピックアップ
１６  送りモータ
１８  サーボ制御部
２２  ＲＦアンプ
２４  デジタル信号処理部
３０  ストリーム分離部
３２  オーディオデコーダ
３６  ビデオデコーダ
４０  サブピクチャデコーダ
４４  ビデオプロセッサ
４６  ビデオエンコーダ
４７  ディスプレイ装置
５８  操作部
６０  システムコントローラ
７０  移動量設定部
１００  ディスク再生装置
【図１】
0004095271.tif 000002
【図２】
0004095271.tif 000003
【図３】
0004095271.tif 000004
【図４】
0004095271.tif 000005
【図５】
0004095271.tif 000006
【図６】
0004095271.tif 000007
【図７】
0004095271.tif 000008
【図８】
0004095271.tif 000009
【図９】
0004095271.tif 000010
【図１０】
0004095271.tif 000011
【図１１】
0004095271.tif 000012
【図１２】
0004095271.tif 000013